(57)【要約】      （修正有）【課題】使用者の要望に応じた穂先のしなやかさや長さに合わせて容易に、しかも安価に製作することができる釣竿穂先部を提供する。【解決手段】握持杆部８の先端に取付けられる釣竿穂先部１であって、バネ性のある複数の板材２Ａ、２Ｂ、２Ｃ、２Ｄで形成され、各板材２Ａ〜２Ｄは厚さが異なると共に、先端側が幅狭に形成され、各板材２Ａ〜２Ｄを厚さが順次厚くなる順にその長手方向に沿って各端部を重ねて接着またはロウ付けして、この重ね合わせ部４Ａ〜４Ｃに釣り糸を通すリング状の糸通しガイド５を取付け、この糸通しガイド５を重ね合わせ部４Ａ〜４Ｃに糸６または針金を巻き付けて、全体として先端側が幅狭に形成された１本の板状としたものである。【選択図】図７
0003190714.tif 000002
【実用新案登録請求の範囲】
【請求項１】
握持杆部の先端に取付けられる穂先部であって、バネ性のある複数の板材で形成され、各板材は厚さが異なると共に、先端側が幅狭に形成され、各板材を厚さが順次厚くなる順にその長手方向に沿って各端部を重ねて接着またはロウ付けして、この重ね合わせ部に釣り糸を通すリング状の糸通しガイドを取付け、この糸通しガイドを重ね合わせ部に糸または針金を巻き付けて固定して、全体として先端側が幅狭に形成された１本の板状としたことを特徴とする釣竿穂先部。
【請求項２】
厚さが異なる板材の長さを変えて、全体として先端側が幅狭に形成された１本の板状としたことを特徴とする請求項１記載の釣竿穂先部。
【請求項３】
バネ性のある複数の板材としてステンレス鋼またはリン青銅、グラスファイバー、カーボン、竹、合成樹脂の何れか1 種もしくは２種以上の板材を用いたことを特徴とする請求項１記載の釣竿穂先部。
【考案の詳細な説明】
【技術分野】
【０００１】
本考案は、ワカサギなどの小魚の釣りに使用する釣竿穂先部に関するものである。
【背景技術】
【０００２】
一般にワカサギ釣りに使用される釣竿は、３０ｃｍ程度の比較的短い釣竿が使用されている。ワカサギは小魚でアタリはかなり小さいものであるため、穂先部はバネ性のある平板状のものが多く使用されている。
【０００３】
従来の釣竿穂先部としては、ステンレス鋼またはリン青銅製の板材で形成され、先端方向に向けて徐々に幅狭であると共に、部材の表裏両面を先端方向に向かって徐々に薄く形成したものがある（特許文献１）。
【０００４】
しかしながら従来の構造では１本の金属板の長さを決めてから、金属板の上下両面を先端方向に向かって徐々に薄くなるように研磨して作製している。このため研磨に時間がかかり作業性が悪く製造コストが高くなる上、使用者の要望に応じた穂先のしなやかさや長さに合わせて多品種の穂先部を用意する必要がある。
【先行技術文献】
【特許文献】
【０００５】
【特許文献１】特開平１０−２７６６２６号公報
【考案の概要】
【考案が解決しようとする課題】
【０００６】
本考案は上記問題を改善し、使用者の要望に応じた穂先のしなやかさや長さに合わせて容易に、しかも安価に製作することができる釣竿穂先部を提供するものである。
【課題を解決するための手段】
【０００７】
本考案の請求項１記載の釣竿穂先部は、握持杆部の先端に取付けられる穂先部であって、バネ性のある複数の板材で形成され、各板材は厚さが異なると共に、先端側が幅狭に形成され、各板材を厚さが順次厚くなる順にその長手方向に沿って各端部を重ねて接着またはロウ付けして、この重ね合わせ部に釣り糸を通すリング状の糸通しガイドを取付け、この糸通しガイドを重ね合わせ部に糸または針金を巻き付けて固定して、全体として先端側が幅狭に形成された１本の板状としたことを特徴とするものである。
【０００８】
本考案の請求項２記載の釣竿穂先部は、請求項１において、厚さが異なる板材の長さを変えて、全体として先端側が幅狭に形成された１本の板状としたことを特徴とするものである。
【０００９】
本考案の請求項３記載の釣竿穂先部は、請求項１において、バネ性のある複数の板材としてステンレス鋼またはリン青銅、グラスファイバー、カーボン、竹、合成樹脂の何れか1 種もしくは２種以上の板材を用いたことを特徴とするものである。
【考案の効果】
【００１０】
本考案に係る請求項１記載の釣竿穂先部によれば、構成部品となる複数の板材の厚さを順次厚く形成し、この両端部を重ね合わせて接合することにより、全体として先端側に向かって順次薄く、且つ幅狭に形成された１本の板状となり、しなやかな撓みを得ることができ、研磨していく従来方法に比べて、熟練を要せずに短時間で安価に製造することができる。
【００１１】
また請求項２記載の釣竿穂先部によれば、厚さが異なる板材の長さを変えて、全体として先端側が幅狭に形成された１本の板状とするので、使用者の要望に応じたワカサギの微妙なアタリを感知できる穂先の長さやしなやかさを得ることができる。
【００１２】
また請求項３記載の釣竿穂先部によれば、バネ性のある複数の板材としてステンレス鋼またはリン青銅、グラスファイバー、カーボン、竹、合成樹脂の何れか1 種もしくは２種以上の板材を用いたので、可撓性と復元性に優れ、しかもそれぞれの材質を組み合わせることにより、所望の特性を有する釣竿穂先部を得ることができる。
【考案を実施するための最良の形態】
【００１３】
以下本考案の実施の一形態を図１ないし図７を参照して詳細に説明する。図１は穂先部１を構成するバネ性のある複数の板材２Ａ、２Ｂ、２Ｃ、２Ｄを示すもので、各板材２Ａ〜２Ｄは、バネ性のある例えばステンレス鋼板を用い、厚さがそれぞれ異なると共に、先端側が幅狭に形成されている。例えば板材２Ａは、０．１ｍｍ、２Ｂは、０．２ｍｍ、２Ｃは、０．３ｍｍ、２Ｄは、０．４ｍｍのように厚さが順次厚くなるように作製する。また平面形状は図２に示すように、順次厚くなる順にその長手方向に沿って各端部が例えば５ｍｍ程度重なるように重ねた場合、全体として先端側が幅狭に形成された１本の板状となるように形成する。
【００１４】
次に、図３に示すように板材２Ａの長手方向に沿った後端側と、板材２Ｂの長手方向に沿った先端側を、例えば５ｍｍ程度重なるように接着剤３を介して接着する。次に板材２Ｂの長手方向に沿った後端側と、板材２Ｃの長手方向に沿った先端側を重ねて接着剤３を介して接着する。以下同様に板材２Ｃの長手方向に沿った後端側と、板材２Ｄの長手方向に沿った先端側を重ねて接着剤３を介して接着し、全体として図４に示すように先端側が幅狭に形成された１本の板材２とする。
【００１５】
この後、図５に示すように板材２Ａの先端の上面に糸通しガイド５を載せて、この底部に糸６を巻き付けて固定する。次に板材２Ａと板材２Ｂの重ね合わせ部４Ａの上に糸通しガイド５を載せて、重ね合わせ部４Ａと一体に糸６を巻き付けて、接着剤を塗って固定する。以下同様にして重ね合わせ部４Ｃの上に糸通しガイド５を載せて、重ね合わせ部４Ｃと一体に糸６を巻き付けて固定し、図６および図７に示すように釣竿穂先部１を形成する。使用する時にはこの釣竿穂先部１の後端部を、握持杆部８の取付け溝９に差し込んで固定する。
【００１６】
上記構成の釣竿穂先部１は、構成部品となる板材２Ａ〜２Ｄの厚さを順次厚く形成し、この両端部を重ね合わせて接合することにより、先端側に向かって順次薄く、且つ幅狭に形成されて、全体として１本の板状にとなるので、しなやかな撓みを得ることができる。このため従来のように１本の金属板の長さを決めてから、金属板の上下両面を先端方向に向かって徐々に薄くなるように研磨していく方法に比べて、熟練を要せずに短時間で安価に製造することができる。
【００１７】
また板材２Ａ〜２Ｄの長さを変えることにより、使用者の要望に応じたワカサギの微妙なアタリを感知できる穂先の長さやしなやかさが得られるので、注文に応じて簡単に製造することができる。
【００１８】
なお上記説明では板材２Ａ〜２Ｄとしてステンレス鋼板を用いた場合について説明したが、リン青銅、グラスファイバー、カーボン、竹、合成樹脂を用いても良く、また例えばリン青銅板と合成樹脂板の２種を組み合わせるように、２種以上の板材を組み合わせて用いることにより、所望の特性を有する釣竿穂先部を得ることができる。
【００１９】
また糸通しガイド５の取付位置は、重ね合わせ部４Ａ〜４Ｃに限らず、その中間にも取付けて良い。また上記説明では重ね合わせ部４Ａ〜４Ｃを接着剤３で接着したが、両面テープで接着しても良く、また半田付けなどロウ付けで接合しても良い。また上記説明では重ね合わせ部４Ａ〜４Ｃに糸通しガイド５を糸６で巻き付けて固定した場合につい示したが、針金を巻き付けて固定しても良い。
【図面の簡単な説明】
【００２０】
【図１】本考案の実施の一形態による釣竿穂先部を構成する複数の板材を示す平面図である。
【図２】図１の板材を順次接合して全体として１本の板状とした平面図である。
【図３】重ね合わせ部の側面図である。
【図４】図２の全体として１本の板状とした側面図である。
【図５】釣竿穂先部の糸通しガイドを取付けた部分を拡大して示す側面図である。
【図６】握持杆部の先端に釣竿穂先部を取付けた側面図である。
【図７】図６の握持杆部の先端に釣竿穂先部を取付けた斜視図である。
【符号の説明】
【００２１】
１  釣竿穂先部  
２  板材    
２Ａ、２Ｂ、２Ｃ、２Ｄ  板材    
３  接着剤        
４Ａ、４Ｂ、４Ｃ  重ね合わせ部
５  糸通しガイド    
６  糸        
８  握持杆部    
９  取付け溝        
【図１】
0003190714.tif 000003
【図２】
0003190714.tif 000004
【図３】
0003190714.tif 000005
【図４】
0003190714.tif 000006
【図５】
0003190714.tif 000007
【図６】
0003190714.tif 000008
【図７】
0003190714.tif 000009